(57)【要約】【課題】蒸気タービンにおけるロータカップリング芯出し調整時に軸受下半の分解を不要とし、蒸気タービンの組立工期を短縮することができる軸受及び軸受台構造を提供することを目的とする。【解決手段】本実施形態では、軸受台の軸受下半の嵌まり込み部に内部軸受台を追加することで、ロータの芯出し調整時に軸受下半の分解を不要とし、ロータの芯出し調整の工程を削減できる軸受又は軸受台構造を提供することにより上記目的を達成する。【選択図】図１
2018162767.tif 000002
【特許請求の範囲】
【請求項１】
タービンロータを支持するため軸受を支持する軸受台において、
前記軸受を支持しフランジ形状の両端支持部を有する内部軸受台と、
この内部軸受台を支持する外部軸受台と、
を備え、
前記内部軸受台の両端支持部に、鉛直方向の芯出し調整用ボルト及び軸直角方向調整部品により、前記ロータの鉛直方向及び軸直角方向の位置を調整するための調整部を備える軸受台。
【請求項２】
前記内部軸受台に設けられる軸直角方向調整部品の代わりに軸直角方向の調整用ボルトを備え、軸直角方向の調整量を、前記軸直角方向の調整用ボルトの挿し込み量により調整する請求項１記載の軸受台。
【請求項３】
タービンロータを支持し、軸受上半と軸受下半とを備える軸受において、
前記軸受下半に、フランジ形状の両端支持部を備え、
前記軸受下半の両端支持部に、鉛直方向の調整用ボルト及び軸直角方向調整部品により前記ロータの鉛直方向及び軸直角方向位置を調整するための調整部を備える軸受。
【請求項４】
前記軸受下半に設けられる軸直角方向調整部品の代わりに軸直角方向の芯出し調整用ボルトを備え、軸直角方向の調整量を、前記軸直角方向の調整量をボルトの挿し込み量により調整する請求項３に記載の軸受。
【請求項５】
請求項１乃至４いずれかに記載の軸受台又は軸受を有することを特徴とする蒸気タービン。
【発明の詳細な説明】
【技術分野】
【０００１】
本発明は、ロータの芯出し調整機能を備える軸受及び軸受台に関する。
【背景技術】
【０００２】
図５（ａ）に示す通り、蒸気タービンにおけるロータ１３は軸受上半１、下半２から構成される軸受により支持される。軸受下半２は軸受台７に支持される。
【０００３】
複数のロータ同士の芯調整（以下、ロータカップリングの芯出し調整という）の際、鉛直方向、水平方向の調整のために、図５（ｂ）に示すとおり、軸受下半２の外周側に数箇所（図５では５箇所）に調整用のシム５を挿入するための挿入部２０が設置されている。
【０００４】
挿入部２０において芯出し用シム５の内側には、鉛直方向、水平方向のロータの芯調整用として、厚さが芯出し用シム５よりも薄い芯出し用ラミネートシム６が挿入され、軸受下半２に固定される。つまり、芯出し用ラミネートシム６を入れ替えることでロータカップリングの芯出し調整をしている。
【０００５】
その後、ロータ１３が軸受下半２に設置された後に、軸受上半１が軸受上半固定ボルト４により、軸受台７に固定される。さらに、軸受上半１が軸受下半２に軸受上下半締付ボルト３により固定される。
【０００６】
この場合、芯出し用ラミネートシム６を挿入する際に、軸受下半２を一度仮組みして、ロータの芯のずれを計測した後、軸受下半２を軸受台７から外し、軸受下半２の挿入部２０から芯出し用シム５を取外してから芯出し用ラミネートシム６を入れ替え、調整に必要な分、芯出し用ラミネートシム６を挿入した後、芯出し用シム５を挿入してから両シム５，６を軸受下半２に固定する必要があった。
【先行技術文献】
【特許文献】
【０００７】
【特許文献１】特開２０１２−１０２７２９号公報
【発明の概要】
【発明が解決しようとする課題】
【０００８】
図５に示す従来方法で、ロータカップリングの芯出し調整を実施する場合、上述の通り軸受下半２を仮組みして、芯のずれを計測した後、軸受下半２を吊り上げながら分解し、軸受下半２外周に設置されている複数箇所の挿入部２０から一旦、芯出し用シム５、芯出し用ラミネートシム６を外した後、調整に必要な分、芯出し用ラミネートシム６を挿入し、その後芯出し用シム５を挿入して固定し、軸受下半２を組み立てていた。
【０００９】
そのため、軸受下半２の分解、組立てに必要なクレーン操作を伴い蒸気タービンの組立工期が長くなる要因となる。近年の定検工期短縮要求に応えるため、ロータカップリング芯出し調整時に軸受下半２の分解を不要とし、蒸気タービンの組立工期を短縮することができる軸受及び軸受台構造を提供することを目的とする。
【課題を解決するための手段】
【００１０】
上記課題を解決するために、本発明は、軸受台の軸受下半嵌まり込み部に内部軸受台を追加することで、ロータの芯出し調整時に軸受下半の分解を不要とし、ロータの芯出し調整の工程を削減できる軸受又は軸受台構造を提供することにより上記目的を達成する。
【発明の効果】
【００１１】
本発明によれば、ロータカップリング芯出し調整時に、従来必要であった軸受台からの軸受下半の分解は不要となる。よって、軸受引き上げのためのクレーン操作が不要となり、蒸気タービンの組立工期を従来に比べて短くでき、定検工期短縮要求に応えることが可能となる。
【発明を実施するための形態】
【００１２】
以下、本発明に係わるタービンの軸受及び軸受台の実施形態について添付図面を参照して説明する。
【００１３】
（実施形態１）
本発明のロータカップリングの芯出し調整機能を有する軸受及び軸受台の代表的な組立図を使って説明する。
【００１４】
実施例１では図１（ａ）に示すように、外部軸受台２１の嵌まり込み部に間に内部軸受台１０が組込まれる構造とすることにより、内部軸受台１０が軸受下半２を支持する。
【００１５】
内部軸受台１０は左右両端にサポート２２を有し、内部軸受台１０はサポート２２で外部軸受台２１に支持される。そして、左右両端のサポート２２には、芯出し用鉛直方向ボルト８が挿入されている。
【００１６】
ロータカップリングの芯出し調整時には、まず軸直角方向調整部品１４を挿入することによりロータカップリングの軸直角方向の芯を調整する。次に図１（ａ）、及び要部を拡大した図１（ｂ）に示す通り、鉛直方向を芯出し用鉛直方向ボルト８のねじ込み量を調整することによりロータカップリングの鉛直方向の芯を調整する。
【００１７】
鉛直方向の芯調整後は、図１（ｂ）に示すとおり、内部軸受台１０の左右サポートと外部軸受台２１の隙間に合わせたサポートシム１５を、紙面に垂直な方向、すなわち軸方向に沿って挿入し内部軸受台１０の荷重を支える。
【００１８】
その後、内部軸受台固定ボルト９により内部軸受台１０は外部軸受台２１に固定され、ロータ１３が軸受下半２に設置された後に、軸受上半１が軸受上半固定ボルト４により、内部軸受台１０に固定される。さらに、軸受上半１が軸受下半２に軸受上下半締付ボルト３により固定される。
【００１９】
実施例１の形態をとることにより、ロータカップリング芯出し調整時に、軸受下半２を内部軸受台１０に載せたまま、外部軸受台２１に対する内部軸受台１０の軸直角方向、鉛直方向の位置調整が可能となる調整部を設けたので、従来のような、軸受下半の外周の挿入部のシムの装着、取り外しにより、ロータカップリング芯出し調整を行っていた場合に必要であった軸受台からの軸受下半の分解は不要となる。よって、軸受引き上げのためのクレーン操作が不要となり、蒸気タービンの組立工期を従来に比べて短くでき、定検工期短縮要求に応えることが可能となる。
【００２０】
なお、軸直角方向の調整機構として、図１のような軸直角方向調整部品１４を挿入するのではなく、図２（ａ），および要部を拡大した図２（ｂ）に示す通り、外部軸受台２１の左右の端にめねじ２４を設けて、芯出し用軸直角方向ボルト１１をねじこみ、そのねじこみ量により軸直角方向の調整を行ってもよい。
【００２１】
（第２実施形態）
図３に示すように、軸受下半を内部軸受台とを一体構造として軸受下半２６とすることで、軸受下半２６自体にロータカップリング芯出し調整機能を持たせた構造である。軸受下半２６は左右両端にサポート２８を有し、当該部で軸受台７に支持されている。
【００２２】
ロータカップリング芯出し調整時には、まず軸直角方向調整部品１４によりロータカップリングの軸直角方向の芯を調整し、次に鉛直方向を芯出し用鉛直方向ボルト８をサポート２８にねじこみ、ねじ込み量を調整することによりロータカップリングの鉛直方向の芯を調整する。鉛直方向の芯調整後は、軸受下半２の左右サポート２８と軸受台７の隙間に合わせたサポートシム１５を挿入し軸受下半２の荷重を支える。その後、軸受下半固定ボルト１２により軸受下半２を軸受台７に固定する。
【００２３】
実施形態２の形態をとることにより、実施形態１同様、ロータカップリング芯出し調整時に軸受の分解は不要となる。
【００２４】
なお、ロータ軸の直角方向の調整は実施形態１同様、シムのような調整部品１４で行ってもよいし、図４のように、芯出し用軸直角方向ボルト１１によって調整する構造でもよい。
【図面の簡単な説明】
【００２５】
【図１】実施形態１の芯出し調整機能付き軸受及び軸受台
【図２】実施形態１の変形例を示す図
【図３】実施形態２の芯出し調整機能付き軸受及び軸受台構造断面図
【図４】実施形態２の変形例を示す図
【図５】従来の軸受及び軸受台構造断面図
【符号の説明】
【００２６】
１・・・・・・・軸受上半
２・・・・・・・軸受下半
３・・・・・・・軸受上下半締付ボルト
４・・・・・・・軸受上半固定ボルト
５・・・・・・・芯出し用シム
６・・・・・・・芯出し用ラミネートシム
７・・・・・・・軸受台
８・・・・・・・芯出し用鉛直方向ボルト
９・・・・・・・内部軸受台固定ボルト
１０・・・・・・内部軸受台
１１・・・・・・芯出し用軸直角方向ボルト
１２・・・・・・軸受下半固定ボルト
１３・・・・・・ロータ
１４・・・・・・軸直角方向調整部品
１５・・・・・・サポートシム
２０・・・・・・挿入部
２１・・・・・・外部軸受台
２２・・・・・・サポート
２４・・・・・・めねじ
２６・・・・・・軸受下半
２８・・・・・・サポート
【図１】
2018162767.tif 000003
【図２】
2018162767.tif 000004
【図３】
2018162767.tif 000005
【図４】
2018162767.tif 000006
【図５】
2018162767.tif 000007